(57)【要約】【課題】任意の作業現場に搬入して、処理対象となる土砂等の被攪拌材料に混合用素材を均一に混合させる処理を円滑かつ効率的に行えるようにする。【解決手段】油圧ショベルの上部旋回体２に設けたフロント作業機３のアーム５に設けた回転式攪拌・混合装置１０は、油圧モータ１１により回転駆動され、複数の攪拌羽根３１を設けた攪拌羽根手段１３と、油圧モータ１１のケーシングに装着され、複数の噴射口部４４を開設した貯留容器４３を有し、上部旋回体２には貯留タンク４０が設けられて、混合用液体を供給配管４１を介して貯留容器４３内に供給されて、噴射口部４４から回転羽根３１が回転する攪拌領域Ｓの内部に混合用液体が噴射される。【選択図】図１
2012233358.tif 000002
【特許請求の範囲】
【請求項１】
走行車両にフロント作業機を設けた作業機械であって、このフロント作業機のアームに着脱可能に装着される回転式攪拌・混合装置において、
前記アームの先端に設けたリンク機構に着脱可能に取り付けられる回転駆動手段と、
前記回転駆動手段の出力軸に連結した羽根ホルダ部材と、
前記羽根ホルダ部材に装着した複数の攪拌羽根と、
前記回転駆動手段に装着され、前記攪拌羽根の回転領域内に向けて処理対象となる被攪拌材料に混合される混合用素材を噴射する噴射手段と
を備える構成としたことを特徴とする回転式攪拌・混合装置。
【請求項２】
前記回転駆動手段は油圧モータから構成し、前記噴射手段はこの油圧モータのケーシング外面に設ける構成とたことを特徴とする請求項１記載の回転式攪拌・混合装置。
【請求項３】
前記噴射手段は、前記ケーシングの外面に設けた円環状の貯留容器と、この貯留容器に接続した供給管路及び噴射口部とから構成したことを特徴とする請求項２記載の回転式攪拌・混合装置。
【請求項４】
前記混合用素材は液状または粉状のものであることを特徴とする請求項１乃至３のいずれかに記載の回転式攪拌・混合装置。
【発明の詳細な説明】
【技術分野】
【０００１】
本発明は、油圧ショベル等、フロント作業機を有する走行車両からなる自走式の作業機械において、フロントアタッチメントとしてバケットと交換してアームの先端に連結される回転式攪拌・混合装置に関するものである。
【背景技術】
【０００２】
処理対象土砂に改良材を混合して攪拌することによって、土壌の改質乃至改良を行うことができる。例えば、浚渫により発生した軟泥土を埋め立て用として再利用するために、軟泥土にセメントや石灰等を混合することにより固形化する処理が行われる。また、粘土質の土壌や砂質の土壌に有機物や微生物を混入して、団粒構造とすることによって農地として耕地が可能なものとすることができる。さらに、有害物質により汚染された土壌を浄化するために、有害土に浄化剤、不溶化剤等を混合することにより無害化することも可能である。これらのためには、少なくとも混合される改質・改良材の供給機構と、この改質・改良材を処理対象土砂等に混合・攪拌する部材とが必要になる。
【０００３】
特許文献１に自走式車両の車体フレームに水を入れた流動化処理タンクと、固化剤供給機構とを設けると共に、フロント作業機構を旋回可能に装着した流動化処理装置が開示されている。そして、フロント作業機構を構成するアームの先端にはアタッチメントが取り付けられるが、このアタッチメントとして、土砂を掘削するバケットと、流動化処理タンク内を攪拌する攪拌手段とを交換可能に装着する構成としている。従って、フロント作業機構にバケットを装着することによって、土砂を掘削し、この掘削土を流動化処理タンクに投入すると共に、この流動化処理タンクには固化剤を供給するようにしている。土砂の投入が終わると、アタッチメントをバケットから攪拌手段に交換して、流動化処理タンクの内部を攪拌する。これによって、土砂と固化剤とが均一に混合され、軟質な土砂を固化する処置が行われ、この処理土は埋め戻しされることになる。
【０００４】
また、特許文献２には、地盤改良機が開示されており、この地盤改良機には、ブーム，アーム及びバケットからなる掘削手段が設けられており、バケットには、収容した掘削土を攪拌する攪拌手段と、この掘削土に向けて固化材液を噴射する固化材液吐出ノズルを設ける構成としている。
【先行技術文献】
【特許文献】
【０００５】
【特許文献１】特開平１１−２１７８４３号公報
【特許文献２】特開２００６−２３３５３９号公報
【発明の概要】
【発明が解決しようとする課題】
【０００６】
前述した特許文献１の流動化処理装置にしろ、また特許文献２の地盤改良機にしろ、バケットを用いて土砂を掘削することが必須のものである。そして、掘削土はタンクの内部に収容させたり、またバケット内に保持させたりした状態で、攪拌及び固化剤等と混合するようにしている。従って、特許文献１の流動化処理装置の場合には、フロント作業機において、バケットと攪拌手段とを交換して装着しなければならず、この交換作業が面倒である等といった問題点がある。一方、特許文献２の地盤改良機にあっては、バケットに収容毎に攪拌及び固化材液との混合を行わなければならず、このために地盤改良作業の効率が低いという問題点がある。
【０００７】
本発明は以上の点に鑑みてなされたものであって、その目的とするところは、任意の作業現場において、処理対象となる土砂等の被攪拌材料に対して混合用素材を均一に混合させる処理を円滑かつ効率的に行えるようにすることにある。
【課題を解決するための手段】
【０００８】
前述した目的を達成するために、本発明は、走行車両にフロント作業機を設けた作業機械であって、このフロント作業機のアームに着脱可能に装着される回転式攪拌・混合装置において、前記アームの先端に設けたリンク機構に着脱可能に取り付けられる回転駆動手段と、前記回転駆動手段の出力軸に連結した羽根ホルダ部材と、前記羽根ホルダ部材に装着した複数の攪拌羽根と、前記回転駆動手段に装着され、前記攪拌羽根の回転領域内に向けて処理対象となる被攪拌材料に混合される混合用素材を噴射する噴射手段とを備える構成としたことを特徴とするものである。
【０００９】
攪拌・混合の対象とする攪拌材料の代表的なものとしては土砂があるが、汚泥や畜糞その他、攪拌羽根で攪拌可能なものであれば、その種類や性質は問わない。また、攪拌材料に混合される混合用素材としては、硬化剤，中和剤，浄化剤、不溶化剤や微生物培養液等であって、液体であることが取り扱い上で最も好ましいが、ゲル状物質や粉体を用いることもできる。
【００１０】
フロント作業機は油圧シリンダで駆動されるのが一般的であり、従って攪拌羽根を回転駆動する回転駆動手段としては油圧モータで構成することができる。そして、噴射手段は油圧モータのケーシング外面に装着することになる。
【００１１】
混合用素材の供給源としては、走行車両に積載される貯留タンクであることが望ましいが、この走行車両に牽引される車両に搭載した貯留タンクや所定の位置に据え置いた貯留タンク等で構成することができ、供給源から供給管路を噴射手段に接続することになる。そして油圧モータのケーシングに装着される噴射手段としては、供給管路が接続される貯留容器を備え、この貯留容器に混合用素材を噴射する噴射口部を開口させて設けるようにする。攪拌羽根は回転駆動されるものであるから、攪拌材料の攪拌領域はこの攪拌羽根の回転半径の内部である。従って、貯留容器は油圧モータのケーシングに対して円環状のものとなし、かつ噴射口部はこの貯留容器の全周に及ぶように複数箇所設けるようにすることで、混合用素材を攪拌範囲全体に広く拡散させることができる。
【発明の効果】
【００１２】
任意の作業現場に搬入して、処理対象となる土砂等の被攪拌材料に混合用素材を均一に混合させる処理を円滑かつ効率的に行えるようになる。
【図面の簡単な説明】
【００１３】
【図１】本発明による回転式攪拌・混合装置を装着した油圧ショベルの全体構成図である。
【図２】回転式攪拌・混合装置のアームへの連結図を示し図１の要部拡大図である。
【図３】図２のＡ−Ａ断面部である。
【図４】攪拌羽根の羽根装着部への連結部分の分解斜視図である。
【図５】羽根装着部に対して攪拌羽根を傾斜した状態に装着した状態を示す図２と同様の図である。
【図６】羽根装着部に対して攪拌羽根を上下交互に傾斜した状態に装着した状態を示す図２と同様の図である。
【図７】羽根装着部に対して攪拌羽根を出力軸の延長方向に延在させた状態を示す図２と同様の図である。
【図８】羽根装着部に対して攪拌羽根を出力軸側に折り返した状態を示す図２と同様の図である。
【図９】羽根装着部に２枚の攪拌羽根を連結する構成としたものを示す分解斜視図である。
【図１０】攪拌羽根の他の形状を例示する断面図である。
【図１１】噴射手段を示す縦断面図である。
【図１２】噴射手段のシャッタを噴射開放位置として示す図１１の横断面図である。
【図１３】噴射手段のシャッタを閉鎖位置として示す図１２と同様の断面図である。
【図１４】シャッタの変形例を示す図１３と同様の断面図である。
【発明を実施するための形態】
【００１４】
以下、図面に基づいて本発明の実施の形態について説明する。まず、図１に本発明による回転式攪拌・混合装置が適用される一態様としての油圧ショベルの全体構成を示す。図中において、１はクローラ式走行手段を有する下部走行体、２は下部走行体１の上部に旋回可能に設けた上部旋回体、３は上部旋回体２に装着したフロント作業機である。
【００１５】
フロント作業機３は、上部旋回体２に俯仰動作可能に連結したブーム４と、ブーム４の先端に上下方向に回動可能に連結したアーム５と、アーム５の先端に設けたフロントアタッチメントとを有するものである。フロントアタッチメントは、土砂の掘削作業等を行う際には、周知の構成を有するバケットが装着されが、バケットに代えて、回転式攪拌・混合装置１０が連結される。ここで、回転式攪拌・混合装置１０は、処理対象となる被攪拌材料、例えば土砂を攪拌すると共に、混合用素材を混合するためのものである。従って、回転式攪拌・混合装置１０は、攪拌機構と混合機構とから構成される。
【００１６】
図２に示したように、攪拌機構は回転駆動手段としての油圧モータ１１と、この油圧モータ１１の出力軸１２の先端に設けた攪拌羽根手段１３とを備えている。アーム５にはリンク駆動シリンダ１４が設けられており、このリンク駆動シリンダ１４のロッド１４ａの先端は一対からなるリンク部材１５ａ，１５ｂに枢着されている。リンク部材１５ａの他端はアーム５に枢着されており、リンク部材１５ｂの他端は連結部材１６の一側部位に枢着されている。一方、連結部材１６の他側の部位はアーム５の先端に枢着されている。従って、リンク駆動シリンダ１４のロッド１４ａを伸長させたり、縮小させたりすると、連結部材１６はアーム５への枢着部を中心として図１に矢印で示した方向に回動する。
【００１７】
回転式攪拌・混合装置１０における油圧モータ１１のケーシングの端面には取付部１７が固着して設けられており、この取付部１７が連結部材１６に着脱可能に連結される。このために、連結部材１６には、そのアーム５への枢着部側に固定フック１８が設けられており、リンク部材１５ｂへの枢着部には、この枢着部と同軸に回動フック１９が設けられている。さらに、固定フック１８と回動フック１９との間には押動用のばねからなる付勢手段２０が弾装されている。この付勢手段２０によって、回動フック１９は固定フック１８から離間する方向に回動するように付勢されている。従って、回動フック１９を付勢手段２０に抗する方向に押動すると、回動フック１９は固定フック１８に近接する方向に回動することになる。
【００１８】
一方、油圧モータ１１のケーシングに設けた取付部１７は、左右一対の取付板を有するものであり、その間には２本のピン２１ａ，２１ｂが架け渡すように設けられている。ピン２１ａは固定フック１８と係合するものであり、ピン２１ｂは回動フック１９と係合するものである。従って、回動フック１９を付勢手段２０の付勢力に抗して固定フック１８側に回動変位させた状態で、取付部１７のピン２１ａ，２１ｂ間に進入させて、回動フック１９に対する付勢手段２０に対する作用力を解除すると、ピン２１ａ，２１ｂが固定フック１８及び回動フック１９と係合することになる結果、回転式攪拌・混合装置１０がアーム５に連結されることになる。
【００１９】
さらに、油圧モータ１１のケーシングには、一対の配管接続部２２ａ，２２ｂが設けられており、これらの配管接続部２２ａ，２２ｂには油圧配管２３ａ，２３ｂが着脱可能に接続されるようになっている。従って、油圧配管２３ａ，２３ｂの一方から圧油を油圧モータ１１に供給し、他方に戻り油を流すことによって、油圧モータ１１を回転駆動することができるようになる。
【００２０】
攪拌羽根手段１３は、羽根ホルダ部材３０と、複数枚の攪拌羽根３１とから構成されるものである。羽根ホルダ部材３０は、図３及び図４に示したように、軸挿通用の透孔３２を有するものであり、その外面には羽根装着部３３が複数箇所突設されている。ここで、図示したものにあっては、羽根ホルダ部材３０に羽根装着部３３を９０度毎に４箇所設けるようにしているが、羽根装着部３３の数はこれに限定されるものではない。また、羽根ホルダ部材３０は出力軸１２に固着して設けることができる。なお、羽根ホルダ部材３０は出力軸１２に対して着脱可能であっても良い。そして、羽根ホルダ部材３０を出力軸１２に対して着脱可能に連結する構成としたときには、羽根ホルダ部材３０を装着した状態では、出力軸１２に対して相対回転不能とする。
【００２１】
羽根ホルダ部材３０の各羽根装着部３３にはそれぞれ攪拌羽根３１が着脱可能に連結されるようになっており、しかも攪拌羽根３１は羽根装着部３３に上下方向に角度調整可能となっている。このために、攪拌羽根３１及び羽根装着部３３の当接面は放射状の凹凸面を有する菊座面部３４，３５となっており、攪拌羽根３１を羽根装着部３３に対して任意の角度状態で菊座面部３４，３５を当接させて、ボルト‐ナット３６を締め付けると、所望の角度状態で連結・固定されることになる。しかも、ボルト‐ナット３６は強力に締め付けなくても、攪拌羽根３１の角度がずれるおそれはない。
【００２２】
攪拌羽根３１は、所定の幅を有する長尺の金属板体から構成され、菊座面部３４はその基端側側面に形成されている。ここで、攪拌羽根３１は処理対象土砂を効率的に攪拌できるように長さ及び幅が設定されるものであり、長尺化すると、攪拌範囲が広くなり、幅広にすると、攪拌深さが増大する。ただし、長尺で幅広の攪拌羽根３１を用いると、攪拌時の抵抗が大きくなり、その分だけ回転駆動手段としての油圧モータ１１に作用する負荷が増大することになる。
【００２３】
攪拌羽根３１を図３に示したように、出力軸１２の軸線と直交する方向に延在させると、最大攪拌半径となり、攪拌羽根３１の先端側を上下方向に傾けて装着すると、その分だけ攪拌半径が小さくなるが、攪拌深さ寸法が大きくなる。攪拌羽根３１を傾ける場合、図５に示したように、全ての攪拌羽根３１を同じ方向に傾けても良く、また図６に示したように、２枚の攪拌羽根３１を上方に傾け、他の２枚の攪拌羽根３１を下方に傾けるようになし、この傾け方向が異なる攪拌羽根３１を交互に位置させるように構成した場合には、全てを同一方向に傾ける場合より攪拌深さを大きく取ることができる。さらに、図７及び図８に示したように、攪拌羽根３１を出力軸１２の軸線方向に延長させるようにするか、または出力軸１２側に折り返すようにすることもできる。これによって、回転式攪拌・混合装置１０をコンパクトになり、保管時に有利である。
【００２４】
さらに、図９に示したように、羽根ホルダ部材３０の各羽根装着部３３の両側にそれぞれ２枚の攪拌羽根３１，３１を装着することができ、この場合には、一方の攪拌羽根３１を上下いずれかの方向に傾けるようになし、他方の攪拌羽根３１は他の方向に傾けるようにするのが望ましい。
【００２５】
攪拌羽根は平板状のものだけでなく、図１０（Ａ）に示した攪拌羽根３１Ａのように、幅方向に湾曲した形状としたり、図１０（Ｂ）に示した傾斜状態とした攪拌羽根３１Ｂとしたりしても良い。さらに、図１０（Ｃ）に示したように、下端側が鋭利な刃先状の攪拌羽根３１Ｃを用いることもできる。いずれにしろ、攪拌羽根３１，３１Ａ〜３１Ｃはボルト‐ナット３６により羽根ホルダ部材３０の羽根装着部３３に着脱可能に取り付けることができるようになっているので、作業の種類等に応じて適宜の攪拌羽根を交換して使用することもできる。
【００２６】
一方、混合機構の構成としては、上部旋回体２に設置され、混合用素材としての混合用液体を貯留する混合用液体タンク４０と、この混合用液体タンク４０に接続した供給管路４１と、噴射手段４２とから構成される。混合用液体タンク４０にはポンプが内蔵されており、混合用液体タンク４０内の混合用液体は供給管路４１を経て噴射手段４２に供給されるようになっている。そして、噴射手段４２は円環状のパイプからなる貯留容器４３を有し、この貯留容器４３には、後述する噴射口部４４を形成した噴射部が設けられて、斜め下方に向けて混合用液体が噴射されるようになっている。
【００２７】
噴射手段４２の一構成例を図１１及び図１２に示す。貯留容器４３のケーシング４５の内部は液溜め部４３ａとなっており、ケーシング４５の外壁部４５ａには複数箇所（図示のものでは４箇所の噴射用開口４６が形成されている。また、ケーシング４５の外壁部４５ａにはシャッタ４７が設けられており、噴射口部４４はこのシャッタ４７に穿設されている。シャッタ４７はケーシング４５の外壁部４５ａの外面に沿って摺動可能となっている。そして、図１１に示したように、シャッタ４７に設けられている噴射口部４４が噴射用開口４６と一致する位置に配置したときには、貯留容器４３の液溜め部４３ａ内に貯留されている混合用液体が噴射される噴射開放位置となる。また、図１２に示したように、シャッタ４７を摺動させて、噴射口部４４の位置をケーシング４５側の噴射用開口４６の位置とずらせると、混合用液体を噴射できない閉鎖位置となる。また、図１３に示したように、シャッタ１４７に設けた噴射口部を円周方向に位置をずらせて、開口径の異なる複数の噴射口部列１４４を設けると、噴射量を可変にすることもできるようになる。
【００２８】
ここで、攪拌羽根手段１３を構成する攪拌羽根３１は、図３に仮想線で示した円の内部が攪拌領域Ｓとなることから、混合用液体はこの攪拌領域Ｓの範囲内に散布する必要がある。噴射口部４４から噴射した混合用液体は円錐状に拡散するものであり、従って攪拌領域Ｓの全体にわたって混合用液体を散布するには、噴射口部４４を攪拌羽根３１の全長の概略半分より多少先端側の位置に指向させるようにするのが望ましい。
【００２９】
以上のように構成される回転式攪拌・混合装置１０は、油圧ショベルのフロント作業機３におけるアーム５の先端に装着されて、例えば汚染土砂を被攪拌材料として、この汚染土砂に混合用液体としての微生物とその活性化液を混合して有害物質を除去する、所謂バイオレメディエーションを行うものとして使用する場合について説明する。
【００３０】
油圧ショベルを作動させて、処理を行う土砂の位置まで走行させて、フロント作業機３を構成するアーム５の先端に取り付けた回転式攪拌・混合装置１０における回転駆動手段としての油圧モータ１１を作動させて、その出力軸１２を回転駆動する。出力軸１２の下端部には攪拌羽根手段１３が設けられており、この攪拌羽根手段１３を構成する攪拌羽根３１を汚染土砂に切り込ませて、掘り起こしを行うことによって土砂の攪拌が行われる。ここで、処理が行われる土砂に対してどの程度の深さまで攪拌するかによって、羽根装着部３３に装着される攪拌羽根３１の形状や角度を調整する。
【００３１】
土砂の攪拌が開始されると、混合用液体タンク４０の内部から供給配管４１に向けて微生物とその活性化液からなる混合用液体を圧送する。その結果、混合用液体が貯留容器４３に流入し、噴射口部４４から噴射される。ここで、噴射口部４４は攪拌領域Ｓ内に位置していることから、この噴射口部４４から噴射された混合用液体は現に攪拌羽根手段１３により攪拌されている土砂に供給され、しかも攪拌領域Ｓの全領域にわたってほぼ均一な量の混合用液体が所定の深さの土砂に混合されることになる。そして、フロント作業機３を操作して、攪拌領域Ｓを移動させながら、また油圧ショベルを適宜移動させながら、攪拌羽根手段１３による汚染土砂の攪拌と、混合用液体の供給とを繰り返し行うことによって、広い範囲にわたって、しかも所定の深さまで均一にバイオレメディエーションを行うことができる。
【符号の説明】
【００３２】
１  下部走行体                      ２  上部旋回体
３  フロント作業機                  ５  アーム
１０  回転式攪拌・混合装置                １１  油圧モータ
１２  出力軸                        １３  攪拌羽根手段
１４  リンク駆動シリンダ            １５ａ，１５ｂ  リンク部材
１６  連結部材                      １７  取付部
３０  羽根ホルダ部材                ３１，３１Ａ〜３１Ｃ  攪拌羽根
３３  羽根装着部                    ４０  混合用液体タンク
４１  供給配管                      ４２  噴射手段
４３  貯留容器                      ４４，１４４  噴射口部
４６  噴射用開口                    ４７，１４７  シャッタ
【図１】
2012233358.tif 000003
【図２】
2012233358.tif 000004
【図３】
2012233358.tif 000005
【図４】
2012233358.tif 000006
【図５】
2012233358.tif 000007
【図６】
2012233358.tif 000008
【図７】
2012233358.tif 000009
【図８】
2012233358.tif 000010
【図９】
2012233358.tif 000011
【図１０】
2012233358.tif 000012
【図１１】
2012233358.tif 000013
【図１２】
2012233358.tif 000014
【図１３】
2012233358.tif 000015
【図１４】
2012233358.tif 000016